(57)【要約】【課題】  複数色の画像を形成する画像形成装置において、総コストの低下が図られた２色の画像を形成させる画像形成装置、画像形成方法及びプログラムを提供すること。【解決手段】  現像装置を有する画像形成部を複数備えた画像形成装置において、複数の画像形成部が、２色のうちいずれか一方の色のトナーが充填された現像装置を有する第１類の画像形成部と、他方の色のトナーが充填された現像装置を有する第２類の画像形成部に分別されており、第１類の画像形成部又は第２の画像形成部が複数の画像形成部である場合、当該複数の画像形成部を予め設定された印刷単位に応じて順次切り替えるよう制御する制御手段を備える画像形成装置。【選択図】図３
2007156141.tif 000002
【特許請求の範囲】
【請求項１】
現像装置を有する画像形成部を複数備えた画像形成装置において、
前記複数の画像形成部が、２色のうちいずれか一方の色のトナーが充填された現像装置を有する第１類の画像形成部と、他方の色のトナーが充填された現像装置を有する第２類の画像形成部に分別されており、
前記第１類の画像形成部又は前記第２の画像形成部が複数の画像形成部である場合、当該複数の画像形成部を切り替えるよう制御する制御手段を備えること、
を特徴とする画像形成装置。
【請求項２】
前記制御手段は、
前記複数の画像形成部を予め設定された印刷単位に応じて順次切り替えること、
を特徴とする請求項１記載の画像形成装置。
【請求項３】
前記制御手段は、
前記第１類の画像形成部又は前記第２の画像形成部が複数の画像形成部である場合、
充填されたトナーの色の画像を形成させるための画像データに基づいて生成されたプリントデータの出力先として、前記複数の画像形成部を切り替えて駆動させること、
を特徴とする請求項１又は２記載の画像形成装置。
【請求項４】
前記制御手段は、
前記第１類の画像形成部又は前記第２の画像形成部が複数の画像形成部である場合、
充填されたトナーの色の画像を形成させるための画像データを、前記各画像形成部の画像データとして切り替えて設定すること、
を特徴とする請求項１又は２記載の画像形成装置。
【請求項５】
現像装置を有する複数の画像形成部により画像を記録媒体上に形成する画像形成方法において、
前記複数の画像形成部が、２色のうちいずれか一方の色のトナーが充填された現像装置を有する第１類の画像形成部と、他方の色のトナーが充填された現像装置を有する第２類の画像形成部に分別された場合、
前記第１類の画像形成部又は前記第２の画像形成部が複数の画像形成部である場合には、当該複数の画像形成部を切り替えるよう制御する制御工程を含むこと、
を特徴とする画像形成方法。
【請求項６】
前記制御工程は、
前記複数の画像形成部を予め設定された印刷単位に応じて順次切り替えること、
を特徴とする請求項５記載の画像形成方法。
【請求項７】
前記制御工程は、
前記第１類の画像形成部又は前記第２の画像形成部が複数の画像形成部である場合、
充填されたトナーの色の画像を形成させるための画像データに基づいて生成されたプリントデータの出力先として前記複数の画像形成部を切り替えて駆動させること、
を特徴とする請求項５又は６記載の画像形成方法。
【請求項８】
前記制御工程は、
前記第１類の画像形成部又は前記第２の画像形成部が複数の画像形成部である場合、
充填されたトナーの色の画像を形成させるための画像データを、前記各画像形成部の画像データとして切り替えて設定すること、
を特徴とする請求項５又は６記載の画像形成方法。
【請求項９】
コンピュータに、
現像装置を有する複数の画像形成部により画像を記録媒体上に形成させるプログラムにおいて、
前記複数の画像形成部が、２色のうちいずれか一方の色のトナーが充填された現像装置を有する第１類の画像形成部と、他方の色のトナーが充填された現像装置を有する第２類の画像形成部に分別された場合、
前記第１類の画像形成部又は前記第２の画像形成部が複数の画像形成部である場合には、当該複数の画像形成部を切り替えるよう制御する制御手段として機能させるためのプログラム。
【請求項１０】
前記制御手段は、
前記複数の画像形成部を予め設定された印刷単位に応じて順次切り替えること、
を特徴とする請求項９記載のプログラム。
【請求項１１】
前記制御手段は、
前記第１類の画像形成部又は前記第２の画像形成部が複数の画像形成部である場合、
充填されたトナーの色の画像を形成させるための画像データに基づいて生成されたプリントデータの出力先として前記複数の画像形成部を切り替えて駆動させること、
を特徴とする請求項９又は１０記載のプログラム。
【請求項１２】
前記制御手段は、
前記第１類の画像形成部又は前記第２の画像形成部が複数の画像形成部である場合、
充填されたトナーの色の画像を形成させるための画像データを、前記各画像形成部の画像データとして切り替えて設定すること、
を特徴とする請求項９又は１０記載のプログラム。
【発明の詳細な説明】
【技術分野】
【０００１】
本発明は、現像装置を有する複数の画像形成部により記録媒体上に画像が形成される画像形成装置、画像形成方法及びプログラムに関する。
【背景技術】
【０００２】
近年、２色の画像（例えば、赤黒画像）を記録媒体上に形成する安価な画像形成装置が要望されている。そこで、２色の画像のみを記録媒体上に形成する画像形成装置があるが、２色の画像のみを記録媒体上に形成する画像形成装置は、２色の画像形成専用として新たに開発されるため開発コストがかかり、製品価格を低下させることが難しいという問題がある。
【０００３】
そこで、３色以上の複数色の画像を形成する機能を備えると共に２色の画像を形成する機能をも備える画像形成装置であることが、開発コスト及び製品価格の低下等の観点から要望されている。
【０００４】
複数色の画像を形成する機能を備えると共に単色の画像を形成する機能を備える画像形成装置としては、例えば、黒で印刷する個所を単色の黒及び混色の黒で印刷する画像形成装置が開示されている（特許文献１参照）。
【特許文献１】特開平１０−２５４２１３号公報
【発明の開示】
【発明が解決しようとする課題】
【０００５】
しかしながら、特許文献１のような画像形成装置は、複数色の画像を形成する機能を備える画像形成装置において、単色の画像を形成させるものであり、２色の画像を形成させるものではない。
【０００６】
複数色の画像を形成する画像形成装置において２色の画像を形成させる場合、形成される画像の色のトナーを有する画像形成部以外の画像形成部は不要となる。不要となった画像形成部が有するトナーは、長期間使用されないと劣化してしまい、機内飛散等を起こすという問題が生じる。また、劣化したトナーは使用することができないため無駄となる。
【０００７】
更に、トナーの無駄を防止するため、不要な画像形成部を取り外したり不要な画像形成部内のトナーを空にしたりすることが考えられるが、画像形成部が適切に取り付けられていないというエラーやトナー無しというエラー等の異常が検出され、プリント処理が実行されないという問題が生じるおそれがあり、異常検出されないように異常検知制御の変更が必要となる。
【０００８】
従って、複数色の画像を形成する画像形成装置において２色の画像を形成させる場合には、新規に２色の画像を形成する画像形成装置と同等の改造コストが必要とされ、製品価格の増大の要因となっている。
【０００９】
本発明の課題は、上記問題を鑑みて、複数色の画像を形成する画像形成装置において、総コストの低下が図られた２色の画像を形成させる画像形成装置、画像形成方法及びプログラムを提供することである。
【課題を解決するための手段】
【００１０】
請求項１に記載の発明は、現像装置を有する画像形成部を複数備えた画像形成装置において、前記複数の画像形成部が、２色のうちいずれか一方の色のトナーが充填された現像装置を有する第１類の画像形成部と、他方の色のトナーが充填された現像装置を有する第２類の画像形成部に分別されており、前記第１類の画像形成部又は前記第２の画像形成部が複数の画像形成部である場合、当該複数の画像形成部を切り替えるよう制御する制御手段を備える画像形成装置であること、を特徴としている。
更に、コンピュータに対して、上述した請求項１に記載の発明に示した主要手段を機能させるためのプログラムを提供する（請求項９に記載の発明）。
【００１１】
請求項２に記載の発明は、請求項１記載の画像形成装置において、前記制御手段は、前記複数の画像形成部を予め設定された印刷単位に応じて順次切り替えること、を特徴としている。
更に、コンピュータに対して、上述した請求項２に記載の発明に示した主要手段を機能させるためのプログラムを提供する（請求項１０に記載の発明）。
【００１２】
請求項３に記載の発明は、請求項１又は２記載の画像形成装置において、前記制御手段は、前記第１類の画像形成部又は前記第２の画像形成部が複数の画像形成部である場合、充填されたトナーの色の画像を形成させるための画像データに基づいて生成されたプリントデータの出力先として、前記複数の画像形成部を切り替えて駆動させること、を特徴としている。
更に、コンピュータに対して、上述した請求項３に記載の発明に示した主要手段を機能させるためのプログラムを提供する（請求項１１に記載の発明）。
【００１３】
請求項４に記載の発明は、請求項１又は２記載の画像形成装置において、前記制御手段は、前記第１類の画像形成部又は前記第２の画像形成部が複数の画像形成部である場合、充填されたトナーの色の画像を形成させるための画像データを、前記各画像形成部の画像データとして切り替えて設定すること、を特徴としている。
更に、コンピュータに対して、上述した請求項４に記載の発明に示した主要手段を機能させるためのプログラムを提供する（請求項１２に記載の発明）。
【００１４】
請求項５に記載の発明は、現像装置を有する複数の画像形成部により画像を記録媒体上に形成する画像形成方法において、前記複数の画像形成部が、２色のうちいずれか一方の色のトナーが充填された現像装置を有する第１類の画像形成部と、他方の色のトナーが充填された現像装置を有する第２類の画像形成部に分別された場合、前記第１類の画像形成部又は前記第２の画像形成部が複数の画像形成部である場合には、当該複数の画像形成部を切り替えるよう制御する制御工程を含む画像形成方法であること、を特徴としている。
【００１５】
請求項６に記載の発明は、請求項５記載の画像形成方法において、前記制御工程は、前記複数の画像形成部を予め設定された印刷単位に応じて順次切り替えること、を特徴としている。
【００１６】
請求項７に記載の発明は、請求項５又は６記載の画像形成方法において、前記制御工程は、前記第１類の画像形成部又は前記第２の画像形成部が複数の画像形成部である場合、充填されたトナーの色の画像を形成させるための画像データに基づいて生成されたプリントデータの出力先として前記複数の画像形成部を切り替えて駆動させること、を特徴としている。
【００１７】
請求項８に記載の発明は、請求項５又は６記載の画像形成方法において、前記制御工程は、前記第１類の画像形成部又は前記第２の画像形成部が複数の画像形成部である場合、充填されたトナーの色の画像を形成させるための画像データを、前記各画像形成部の画像データとして切り替えて設定すること、を特徴としている。
【発明の効果】
【００１８】
請求項１、３〜５、７〜９、１１、１２のいずれか一項に記載の発明によれば、２色の画像を記録媒体上に形成させる場合、トナー無しの現像装置を有する画像形成手段が存在しないため、トナー無しや画像形成手段の取り付け異常等の異常が発生せず、異常検知制御の変更が不要となる。また、いずれの画像形成手段も２色の画像を形成させる際に使用されるため、長期間使用されないトナーが発生せず、トナー劣化による機内飛散等の問題を防ぐことができると共に、トナーの無駄を省くことができる。従って、コストの低下が図られた２色の画像を形成させることができる。
【００１９】
請求項２、６、１０のいずれか一項に記載の発明によれば、複数の画像形成部を予め設定された印刷単位に応じて順次切り替えることができ、各画像形成部の使用頻度を均一化することができる。
【発明を実施するための最良の形態】
【００２０】
[実施の形態１]
以下、図を参照して本発明の実施の形態１を詳細に説明する。
まず、構成を説明する。
図１に、本実施の形態１における画像形成装置Ａの概略断面構成図を示す。
画像形成装置Ａは、読取対象原稿ＷＰ（以下、原稿と言う。）から画像を読み取り、読み取った画像を処理対象紙としての枚葉紙等の記録媒体Ｐに画像形成するコピー機能や、パーソナルコンピュータ等から画像データを受信し、受信した画像データに基づいて記録媒体Ｐ上に画像を形成して出力するプリンタ機能等を備えたデジタル複合機である。図１に示すように、画像形成装置Ａは、画像読取部２０、プリント部３０から構成される。
【００２１】
画像読取部２０は、自動原稿送り部２１と読取部２２とを備えて構成されている。
自動原稿送り部２１は、ＡＤＦ（Auto Document Feeder）と称されるものであり、原稿トレイＴ１に積載される原稿ＷＰを読取部２２の読取箇所に一枚ずつ搬送する。
【００２２】
自動原稿送り部２１は、原稿トレイＴ１に積載された原稿ＷＰを最上部から順に搬送する給紙ローラ２１ａと、原稿ＷＰの読取個所であるコンタクトガラスに原稿ＷＰを密着させながら通過させるための密着ローラ２１ｂと、給紙ローラ２１ａにより搬送された原稿ＷＰを密着ローラ２１ｂに沿って案内する案内ローラ２１ｃとを備える。そして、コンタクトガラスを通過した原稿ＷＰの搬送方向を切り替える切替爪２１ｄと、原稿ＷＰの表裏を反転させるための反転ローラ２１ｅと、読み取りが完了した原稿ＷＰが排出される排紙トレイ２１ｆとを備える。
【００２３】
読取部２２は、光源、レンズ、コンタクトガラス、イメージセンサ２２ａ等が設けられたスキャナを備えて構成され、原稿に照射した光の反射光を結像して光電変換することにより原稿ＷＰの画像を読み取り、プリント部３０に出力する。ここで、画像とは、図形や写真等のイメージデータに限らず、文字や記号等のテキストデータ等も含む意である。
【００２４】
プリント部３０は、画像形成部４０と、クリーニング部５０と、中間転写ベルト６０と、給紙部７０と、搬送部８０と、定着装置９０とを備えて構成される。
【００２５】
本実施の形態１の画像形成部４０は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部４０Ｙ、４０Ｍ、４０Ｃ、４０Ｋを備えて構成されている。本実施の形態１においては、４色の画像を記録媒体Ｐ上に形成させるプリントモードをフルカラーモードと言う。
【００２６】
例えば、画像形成部４０Ｙは、感光体ドラム４１Ｙの周囲に配置された帯電装置４２Ｙ、露光装置４３Ｙ、現像装置４４Ｙ、一次転写ローラ４５Ｙ、クリーニング装置４６Ｙを備え、イエロー（Ｙ）の画像を形成する。
【００２７】
具体的には、帯電装置４２Ｙにより帯電された感光体ドラム４１Ｙに、露光装置４３Ｙからイエロー（Ｙ）の画像データに応じた光を照射して静電潜像を形成する。そして、現像装置４４Ｙは、静電潜像が形成された感光体ドラム４１Ｙの表面に帯電したイエロー（Ｙ）のトナーを付着させて静電潜像を現像する。現像装置４４Ｙによりトナーが付着された感光体ドラム４１Ｙは、一次転写ローラ４５Ｙが配置された転写位置へ一定速度で回転されながら後述する中間転写ベルト６０に転写される。中間転写ベルト６０にトナーが転写された後、クリーニング装置４６Ｙが、感光体ドラム４１Ｙの表面の残留電荷や残留トナー等を除去する。
【００２８】
同様に、画像形成部４０Ｍ、４０Ｃ、４０Ｋは、感光体ドラム４１Ｍ、４１Ｃ、４１Ｋの周囲に配置された帯電装置４２Ｍ、４２Ｃ、４２Ｋ、露光装置４３Ｍ、４３Ｃ、４３Ｋ、現像装置４４Ｍ、４４Ｃ、４４Ｋ、一次転写ローラ４５Ｍ、４５Ｃ、４５Ｋ、クリーニング装置４６Ｍ、４６Ｃ、４６Ｋとを備え、マゼンタ（Ｍ）、シアン（Ｃ）、ブラック（Ｋ）の画像をそれぞれ形成する。
【００２９】
また、画像形成部４０は、２色の画像を記録媒体Ｐ上に形成させるプリントモード（以下、２色モードという。）の場合、ユーザによって、画像形成部４０Ｙ、４０Ｍ、４０Ｃ、４０Ｋが、２色のうちいずれか一方の色のトナーが充填された現像装置を有する第１類の画像形成部と、他方の色のトナーが充填された現像装置を有する第２類の画像形成部に分別される。
【００３０】
中間転写ベルト６０は、複数のローラに懸架され回転可能に支持された半導電性エンドレスベルトであり、ローラの回転に伴って回転駆動される。
この中間転写ベルト６０は、一次転写ローラ４５Ｙ、４５Ｍ、４５Ｃ、４５Ｋによりそれぞれ感光体ドラム４１Ｙ、４１Ｍ、４１Ｃ、４１Ｋに圧着される。これにより感光体ドラム４１Ｙ、４１Ｍ、４１Ｃ、４１Ｋの表面に現像された各トナーは、一次転写ローラ４５Ｙ、４５Ｍ、４５Ｃ、４５Ｋによる転写位置で中間転写ベルト６０に転写され、二次転写ローラ８３による転写位置で記録媒体Ｐにイエロー、マゼンタ、シアン、ブラックの各トナーが順次重ねて転写される。
【００３１】
給紙部７０は、複数の給紙カセット７１、７２、７３と手差しトレイＴ２を備える。給紙カセット７１、７２、７３内は、給紙カセット毎にサイズや紙種毎に予め識別された規格サイズの記録媒体Ｐが収容されており、給紙ローラ７４、７５、７６によって収容された記録媒体Ｐを最上部から一枚ずつ搬送部８０に向けて搬送する。手差しトレイＴ２は、ユーザのニーズに合わせて様々な規格外のサイズの記録媒体Ｐをその都度積載可能となっている。積載された記録媒体Ｐは、用紙サイズ及び通紙幅が検知され、給紙ローラ７７によって積載された記録媒体Ｐが最上部から一枚ずつ搬送部８０に向けて搬送される。
【００３２】
搬送部８０は、用紙トレイ７１、７２、７３及び手差しトレイＴ２から搬送された記録媒体Ｐを、複数の中間ローラ８１ａ、８１ｂ、８１ｃ、８１ｄ、レジストローラ８２を経て二次転写ローラ８３へと搬送する。この二次転写ローラ８３により、中間転写ベルト６０に転写されたトナー画像が記録媒体Ｐ面に一括転写される。
【００３３】
そして、トナー画像が転写された記録媒体Ｐは、定着装置９０において記録媒体Ｐに転写されたトナー像が熱定着される。定着処理された記録媒体Ｐは、排紙ローラ８４に挟持されて排紙トレイ８５上に出力される。
【００３４】
一方、二次転写ローラ８３により記録媒体Ｐにトナー画像を転写した後、記録媒体Ｐを曲率及び静電的に分離した中間転写ベルト６０は、クリーニング部５０により残留トナーが除去される。
【００３５】
図２に、画像形成装置Ａの制御ブロック図を示す。
図２に示すように、画像形成装置Ａは、本体部１ａとプリンタコントローラ１ｂから構成されている。画像形成装置Ａは、プリンタコントローラ１ｂのＬＡＮＩＦ（Local Area Network InterFace）１４ｂを介してネットワークＮ上の外部機器ＰＣと通信可能に接続されている。
【００３６】
本体部１ａは、画像読取部２０、プリント部３０、操作表示部９１、本体制御部１００を備えて構成される。なお、図１で説明した各部と同一の構成には、同一の符号を付してその説明を省略する。
【００３７】
本体制御部１００は、制御部１１０Ａ、不揮発メモリ１２１Ａ、プログラムメモリ１２２Ａ、ＲＡＭ（Random Access Memory）１２３Ａ、読取処理部１３０、圧縮ＩＣ１４０、ＤＲＡＭ（Dynamic Random Access Memory）制御ＩＣ１５０、画像メモリ１６０、伸張ＩＣ１７０、書込処理部１８０から構成される。
【００３８】
制御部１１０Ａは、ＣＰＵ（Central Processing Unit）、ＲＯＭ（Read Only Memory）、ＲＡＭ（Random Access Memory）等から構成され、不揮発メモリ１２１Ａ、プログラムメモリ１２２Ａ内に格納されている各種処理プログラムやデータに従って画像形成装置Ａの各部の動作を集中制御する。例えば、操作表示部９１や外部機器ＰＣから入力される指示信号に従って、コピーモード、プリントモード、スキャナモードを切り替え、各モードに対する処理プログラムを読み出して、複写、印刷、画像データの読取等の制御を行う。
【００３９】
不揮発メモリ１２１Ａは、画像形成に係るデータ等、各種プログラムで処理されたデータ等を記憶する。
【００４０】
プログラムメモリ１２２Ａは、画像形成に係る各種処理プログラム等を記憶する。
【００４１】
なお、不揮発メモリ１２１Ａとプログラムメモリ１２２Ａを個別に設けた例を示すが、各種プログラム及びデータを記憶する単一の不揮発性のメモリを用いてもよい。
【００４２】
ＲＡＭ１２３Ａは、制御部１１０Ａにより実行される各種プログラム及びこれらプログラムに係るデータを一時的に記憶するワークエリアを形成する。
【００４３】
読取処理部１３０は、画像読取部２０から入力されるアナログ画像信号に、アナログ処理、Ａ／Ｄ変換処理、シェーディング処理等の各種処理を施した後、デジタル画像データを生成する。生成された画像データは、圧縮ＩＣ１４０に出力される。
【００４４】
圧縮ＩＣ１４０は、入力されたデジタル画像データに圧縮処理を施してＤＲＡＭ制御ＩＣ１５０に出力する。
【００４５】
ＤＲＡＭ制御ＩＣ１５０は、制御部１１０Ａからの指示に従って、圧縮ＩＣ１４０によるデジタル画像データの圧縮処理及び伸張ＩＣ１７０による圧縮画像データの伸張処理を制御するとともに、画像メモリ１６０への画像データの入出力制御を行う。例えば、画像読取部２０により読み取られたアナログ画像信号の保存が指示されると、読取処理部１３０から入力されたデジタル画像データの圧縮処理を圧縮ＩＣ１４０により実行させて、圧縮画像データを画像メモリ１６０の圧縮メモリ１６１に格納させる。また、圧縮メモリ１６１に格納された圧縮画像データのプリント出力が指示されると、圧縮メモリ１６１から圧縮画像データを読み出し、伸張ＩＣ１７０により伸張処理を施してページメモリ１６２に格納させる。さらに、ページメモリ１６２に格納された画像データのプリント出力が指示されると、ページメモリ１６２から画像データを読み出して書込処理部１８０に出力する。
【００４６】
画像メモリ１６０は、ＤＲＡＭ（Dynamic RAM）から構成される圧縮メモリ１６１とページメモリ１６２とを備える。圧縮メモリ１６１は、圧縮画像データを格納するためのメモリであり、ページメモリ１６２は、プリント出力前にプリント出力対象の画像データを一時的に格納するためのメモリである。
【００４７】
伸張ＩＣ１７０は、入力される圧縮画像データに伸張処理を施す。
【００４８】
書込処理部１８０は、ＤＲＡＭ制御ＩＣ１５０から入力された画像データに基づいて、画像形成のためのプリントデータを生成し、プリント部３０に出力する。
【００４９】
画像読取部２０は、イメージセンサ２２ａ、画像読取制御部２００、その他ここでは図示しないが図１に示した自動原稿送り部２１、読取部２２の各部等から構成される。画像読取制御部２００は、自動原稿送り部２１、画像読取部２２等を制御して、プラテンガラスに載置された原稿の露光走査を実行させ、光の反射光をイメージセンサ２２ａにより光電変換を行わせて画像を読み取る。読み取られたアナログ画像信号は本体制御部１００の読取処理部１３０に出力される。
【００５０】
プリント部３０は、図１に示した画像形成部４０（各画像形成部４０Ｙ、４０Ｍ、４０Ｃ、４０Ｋ）等のプリント出力に係る各部やプリント制御部３００Ａを備えて構成される。
【００５１】
プリント制御部３００Ａは、ＣＰＵ、ＲＯＭ、ＲＡＭ、不揮発メモリ等から構成され、制御部１１０Ａからの指示に従って各画像形成部４０Ｙ、４０Ｍ、４０Ｃ、４０Ｋ等のプリント部３０の各部の動作を制御し、書込処理部１８０から入力されたプリントデータに基づいて記録媒体Ｐに画像形成を行わせる。
【００５２】
また、プリント制御部３００Ａは、ＲＯＭや不揮発メモリから本実施の形態１を実現させるためのプログラムと各種データとを読み出してＲＡＭに展開し、展開された当該プログラム及びデータとの協働により、２色モードの場合には、第１類の画像形成部又は前記第２の画像形成部が複数の画像形成部である場合、書込処理部１８０から入力される充填されたトナーの色の画像を形成させるための画像データに基づくプリントデータの出力先として、複数の画像形成部を予め設定された印刷単位（例えば、ページ単位毎）に応じて順次切り替えて駆動させる制御手段としての機能を実現する。
【００５３】
操作表示部９１は、ＬＣＤ（Liquid Crystal Display）９１ａ、操作表示制御部９００、その他図示しないタッチパネルや操作キー群から構成される。ＬＣＤ９１ａ上には、ＬＣＤ９１ａを覆うようにタッチパネルが設けられており、操作表示制御部９００は、制御部１１０Ａから入力される表示信号に従って、各種設定条件を入力するための各種設定画面や各種処理結果等をＬＣＤ９１ａに表示させる。また、操作表示制御部９００は、操作キー群又はタッチパネルから入力される操作信号を制御部１１０Ａに出力する。
【００５４】
次に、プリントコントローラ１ｂの各部について説明する。プリントコントローラ１ｂは、画像形成装置Ａをネットワークプリンタとして使用する場合に、ネットワークＮに接続される外部機器ＰＣから画像形成装置Ａに入力されるプリントジョブの管理及び制御を行うものであり、外部機器ＰＣから印刷対象のデータを受信し、画像形成装置Ａの動作状態に応じて当該データをプリントジョブとして割り振る機能を有する。
【００５５】
プリンタコントローラ１ｂは、コントローラ制御部１１ｂ、ＤＲＡＭ制御ＩＣ１２ｂ、画像メモリ１３ｂ、ＬＡＮＩＦ１４ｂから構成される。
【００５６】
コントローラ制御部１１ｂは、プリントコントローラ１ｂ各部の動作を統括的に制御し、ＬＡＮＩＦ１４ｂを介して、外部機器ＰＣから入力されるデータを画像形成装置Ａの動作状態に応じてジョブとして本体部１ａへ配信する機能を実現する。
【００５７】
ＤＲＡＭ制御ＩＣ１２ｂは、ＬＡＮＩＦ１４ｂにより受信されたデータの画像メモリ１３ｂへの格納や、画像メモリ１３ｂからのデータの読み出しを制御する。また、ＤＲＡＭ制御ＩＣ１２ｂは、本体制御部１００のＤＲＡＭ制御ＩＣ１５０とＰＣＩ（Peripheral Components Interconnect）バスで接続されており、コントローラ制御部１１ｂからの指示に従って、プリント対象のデータを画像メモリ１３ｂから読み出してＤＲＡＭ制御ＩＣ１５０に出力する。
【００５８】
画像メモリ１３ｂは、ＤＲＡＭから構成され、入力された出力データを一時的に格納する。
【００５９】
ＬＡＮＩＦ１４ｂは、ＮＩＣ（Network Interface Card）やモデム等のＬＡＮ等のネットワークＮに接続するための通信インターフェイスであり、外部機器ＰＣからデータを受信する。受信されたデータは、ＤＲＡＭ制御ＩＣ１２ｂに出力される。
【００６０】
次に、本実施の形態１の動作を説明する。
図３に、本実施の形態１におけるプリント処理のメインフローチャートを示し、図４に、２色モードの場合における画像形成部の切替処理のフローチャートを示す。図３及び４に示す動作は、プリント制御部３００Ａにおいて実行されるものとする。
【００６１】
本実施の形態１における２色モードとして、マゼンダ（Ｍ）とブラック（Ｋ）の２色の画像を記録媒体Ｐ上に形成させる場合を例に挙げて説明する。
画像形成部４０Ｙ、４０Ｍ、４０Ｃ、４０Ｋにおいて、画像形成部４０Ｙ、４０Ｍ、４０Ｃをマゼンダ（Ｍ）の色のトナーが充填された現像装置を有したマゼンダ（Ｍ）の画像を形成する第１類の画像形成部、画像形成部４０Ｋをブラック（Ｋ）の色のトナーが充填された現像装置を有したブラック（Ｋ）の画像を形成する第２類の画像形成部としてユーザによって分別されたものとする。
【００６２】
まず、プリント制御部３００Ａは、２色モードであるか否かを判別する（ステップＳ１）。２色モードであるか否かの判別は、ユーザが第１類及び第２類の画像形成部の分別を行って各画像形成部の現像装置にトナーを充填し、操作表示部９１を用いて２色モードである旨を設定した情報を読み取って判別してもよく、２色モードであるか否かが判別できるものであれば、これらに限らない。
【００６３】
プリント制御部３００Ａは、２色モードではないと判別した場合（ステップＳ１；Ｎｏ）、フルカラーモードであると判別し、フルカラーモードにおけるプリント処理を実行させる（ステップＳ２）。
【００６４】
プリント制御部３００Ａは、２色モードであると判別した場合（ステップＳ１；Ｙｅｓ）、一方の色のトナーが充填された現像装置を有する画像形成部が複数か否かを判別する（ステップＳ３）。一方の色のトナーが充填された現像装置を有する画像形成部が複数か否かの判別は、例えば、各現像装置４１Ｙ、４１Ｍ、４１Ｃ、４１Ｋに充填されているトナーの色に応じて、一方の色のトナーを充填された現像装置が複数存在するか否かに基づいて判別することができる。また、ユーザが操作表示部９１を用いて一方の色のトナーを充填した画像形成部（即ち、一方の色の画像を形成させる画像形成部）を設定した情報を制御部１１０Ａを介して読み取って判別することができる。
【００６５】
プリント制御部３００Ａは、一方の色のトナーが充填された現像装置を有する画像形成部が複数であると判別した場合（ステップＳ３；Ｙｅｓ）、書込処理部１８０から入力された一方の色に対するプリントデータの出力先として、複数の画像形成部を予め設定された印刷単位に応じて順次切り替え、当該色の画像を形成させるよう画像形成部を制御する（ステップＳ４）。
【００６６】
プリント制御部３００Ａは、一方の色のトナーが充填された現像装置を有する画像形成部が複数でないと判別した場合（ステップＳ３；Ｎｏ）、書込処理部１８０から入力された一方の色に対するプリントデータを当該色のトナーが充填された現像装置を有する画像形成部に出力させるよう指示する（ステップＳ５）。
【００６７】
また、プリント制御部３００Ａは、他方の色のトナーが充填された現像装置を有する画像形成部が複数か否かを判別する（ステップＳ６）。他方の色のトナーが充填された現像装置を有する画像形成部が複数か否かの判別の例は、ステップＳ３と同様であるため、説明は省略する。
【００６８】
プリント制御部３００Ａは、他方の色のトナーが充填された現像装置を有する画像形成部が複数であると判別した場合（ステップＳ６；Ｙｅｓ）、書込処理部１８０から入力された他方の色に対するプリントデータの出力先として、複数の画像形成部を予め設定された印刷単位に応じて順次切り替え、当該色の画像を形成させるよう各画像形成部を制御する（ステップＳ７）。
【００６９】
プリント制御部３００Ａは、他方の色のトナーが充填された現像装置を有する画像形成部が複数でないと判別した場合（ステップＳ６；Ｎｏ）、書込処理部１８０から入力された他方の色に対するプリントデータを当該色のトナーが充填された現像装置を有する画像形成部に出力させるよう指示する（ステップＳ８）。
【００７０】
次に、ステップＳ４又はステップＳ７において実行される画像形成部の切替処理のフローチャートについて説明する。
【００７１】
プリント制御部３００Ａは、ある色（例えば、マゼンダ（Ｍ））のトナーが充填された現像装置を有する画像形成部が複数であると判別した場合（ステップＳ３；Ｙｅｓ、又は、ステップＳ６；Ｙｅｓ）、プリントデータの出力先として選択される画像形成部識別番号（以下、選択番号ｎという。）を１に設定する（ステップＳ１１）。
【００７２】
画像形成部識別番号は、トナーが充填された現像装置を有する画像形成部が複数存在した場合において、当該複数の画像形成部を識別するために各画像形成部に付された番号である。本実施の形態１においては、マゼンダ（Ｍ）のトナーが充填された現像装置を有する第１類の画像形成部として、複数の画像形成部４１Ｙ、４１Ｍ、４１Ｃが設定されているため、フルカラーモードにおいてイエロー（Ｙ）の画像を記録媒体Ｐ上に形成させる画像形成部４０Ｙは、画像形成部識別番号として１が付され第１画像形成部と設定され、マゼンダ（Ｍ）の画像を記録媒体Ｐ上に形成させる画像形成部４０Ｍは、画像形成部識別番号として２が付され第２画像形成部と設定され、シアン（Ｃ）の画像を記録媒体Ｐ上に形成させる画像形成部４０Ｃは、画像形成部識別番号として３が付され第３画像形成部と設定されることとなる。
【００７３】
選択番号ｎが１に設定された後（ステップＳ１１後）、プリント制御部３００Ａは、１ページ分の画像を形成させるためのプリントデータを選択する（ステップＳ１２）。
【００７４】
プリント制御部３００Ａは、選択番号ｎが１であるか否かを判別し（ステップＳ１３）、選択番号ｎが１であると判別した場合（ステップＳ１３；Ｙｅｓ）、選択したプリントデータの出力先の画像形成部として第１画像形成部を選択し、選択された第１画像形成部においてプリントデータに応じた画像を形成させる（ステップＳ１４）。
【００７５】
プリント制御部３００Ａは、選択番号ｎが１ではないと判別した場合（ステップＳ１３；Ｎｏ）、選択番号ｎが２であるか否かを判別し（ステップＳ１５）、選択番号ｎが２であると判別した場合（ステップＳ１５；Ｙｅｓ）、選択したプリントデータの出力先の画像形成部として、第２画像形成部を選択し、選択された第２画像形成部においてプリントデータに応じた画像を形成させる（ステップＳ１６）。
【００７６】
プリント制御部３００Ａは、選択番号ｎが２ではないと判別した場合（ステップＳ１５；Ｎｏ）、選択したプリントデータの出力先の画像形成部として、第３画像形成部を選択し、選択された第３画像形成部においてプリントデータに応じた画像を形成させる（ステップＳ１７）。
【００７７】
プリント制御部３００Ａは、プリントデータの出力先を選択した後（ステップＳ１４、Ｓ１６、又はＳ１７後）、選択番号ｎは３であるか否かを判別し（ステップＳ１８）、選択番号ｎが３であると判別した場合（ステップＳ１８；Ｙｅｓ）、ステップＳ１１に戻る。
【００７８】
なお、本実施の形態１では、３つの画像形成部４１Ｙ、４１Ｍ、４１Ｃがマゼンダ（Ｍ）のトナーが充填された現像装置を有する画像形成部として分別されているため、ステップＳ１８において、選択番号ｎはマゼンダ（Ｍ）のトナーが充填された現像装置を有する画像形成部の総数（３）と等しいか否かが判別されている。即ち、ステップＳ１８における選択番号ｎを比較する数は、同一色のトナーが充填された現像装置を有する画像形成部の総数を用いるものである。
【００７９】
プリント制御部３００Ａは、選択番号ｎが３ではないと判別した場合（ステップＳ１８；Ｎｏ）、選択番号ｎに１を加算し新たな選択番号ｎを設定し（ステップＳ１９）、書込処理部１８０から入力されたプリントデータに基づいて全てのページのプリント処理が終了されたか否かを判別する（ステップＳ２０）。
【００８０】
プリント制御部３００Ａは、プリント処理が終了されていないと判別した場合（ステップＳ２０；Ｎｏ）、ステップＳ１２に戻り、プリント処理が終了されたと判別した場合（ステップＳ２０；Ｙｅｓ）、本処理は終了される。
【００８１】
即ち、本実施の形態１によれば、フルカラーモードである場合には、マゼンダ（Ｍ）色の画像データに基づいて記録媒体Ｐ上に形成される画像は、画像形成部４０Ｍによってのみ形成されるが、２色モードである場合には、マゼンダ（Ｍ）の画像形成部４０Ｍによって形成させる場合に加え、マゼンダ（Ｍ）の画像データをイエロー（Ｙ）の画像形成部４０Ｙやシアン（Ｃ）の画像形成部４０Ｃを順次切り替えて形成させることができる。
【００８２】
[実施の形態２]
以下、図を参照して本発明の実施の形態２を詳細に説明する。
まず、構成を説明する。
本実施の形態２における画像形成装置Ｂは、実施の形態１においてプリント制御部３００Ａが行っていた２色モードの場合の制御を制御部１１０Ｂが行う画像形成装置である。
【００８３】
本実施の形態２における画像形成装置Ｂの概略断面構成図は、実施の形態１の画像形成装置Ａと同様であるため、図示及び詳細な説明は省略する。
【００８４】
図５に、本実施の形態２の画像形成装置Ｂの制御ブロック図を示す。
本実施の形態２の画像形成装置Ｂの制御ブロック図は、図２に示す実施の形態１の画像形成装置Ａの制御ブロック図と略同様であるため、同一の部分には、同一の符号を付して説明は省略し、異なる部分のみ説明する。
【００８５】
制御部１１０Ｂは、ＣＰＵ等から構成され、不揮発メモリ１２１Ｂ、プログラムメモリ１２２Ｂ内に格納されている各種処理プログラムやデータをＲＡＭ１２３に展開し、展開した各処理プログラム及びデータに従って画像形成装置Ｂの各部の動作を集中制御する。例えば、操作表示部９１や外部機器ＰＣから入力される指示信号に従って、コピーモード、プリントモード、スキャナモードを切り替え、各モードに対する処理プログラムを読み出して、複写、印刷、画像データの読取等の制御を行う。
【００８６】
また、制御部１１０Ｂは、本実施の形態２を実現させるために、不揮発メモリ１２１Ｂ、プログラムメモリ１２２Ｂから本実施の形態２を実現させるためのプログラムと各種データとを読み出してＲＡＭ１２３Ｂに展開し、展開された当該プログラム及びデータとの協働により、２色モードの場合には、第１類の画像形成部又は第２の画像形成部が複数の画像形成部である場合、充填されたトナーの色の画像を形成させるための画像データを、各画像形成部の画像データとして予め設定された印刷単位（例えば、ページ単位）に応じて順次切り替えて設定する制御手段としての機能を実現する。
【００８７】
不揮発メモリ１２１Ｂは、画像形成に係るデータ等、各種プログラムで処理されたデータや本実施の形態２に係る各種データ等を記憶する。
【００８８】
プログラムメモリ１２２Ｂは、画像形成に係る各種処理プログラムの他、本実施の形態２に係るプログラム等を記憶する。
【００８９】
なお、不揮発メモリ１２１Ｂとプログラムメモリ１２２Ｂを個別に設けた例を示すが、各種プログラム及びデータを記憶する単一の不揮発性のメモリを用いてもよい。
【００９０】
ＲＡＭ１２３Ｂは、制御部１１０Ｂにより実行される各種プログラム及びこれらプログラムに係るデータを一時的に記憶するワークエリアを形成する。また、本実施の形態２を実現させるためのデータやその他の各種ワークデータを記憶する。
【００９１】
プリント制御部３００Ｂは、ＣＰＵ、ＲＯＭ、ＲＡＭ等から構成され、制御部１１０Ｂからの指示に従って各画像形成部４０Ｙ、４０Ｍ、４０Ｃ、４０Ｋ等のプリント部３０の各部の動作を制御し、書込処理部１８０から入力されたプリントデータに基づいて記録媒体Ｐに画像形成を行わせる。
【００９２】
次に、本実施の形態２の動作を説明する。
図６に、本実施の形態２におけるプリント処理のメインフローチャートを示し、図７に、２色モードの場合における画像形成部の切替処理のフローチャートを示す。図６及び７に示す動作は、制御部１１０Ｂにおいて実行されるものとする。
【００９３】
本実施の形態２における２色モードの例は、マゼンダ（Ｍ）とブラック（Ｋ）の２色の画像を記録媒体Ｐ上に形成させる実施の形態１と同様の場合を例に挙げて説明する。
【００９４】
まず、制御部１１０Ｂは、２色モードであるか否かを判別する（ステップＳ２１）。２色モードであるか否かの判別は、実施の形態１と同様であるため、説明は省略する。
【００９５】
制御部１１０Ｂは、２色モードではないと判別した場合（ステップＳ２１；Ｎｏ）、フルカラーモードであると判別し、フルカラーモードにおけるプリント処理を実行させる（ステップＳ２２）。
【００９６】
制御部１１０Ｂは、２色モードであると判別した場合（ステップＳ２１；Ｙｅｓ）、一方の色のトナーが充填された現像装置を有する画像形成部が複数か否かを判別する（ステップＳ２３）。一方の色のトナーが充填された現像装置を有する画像形成部が複数か否かの判別は、実施の形態１と同様であるため、説明は省略する。
【００９７】
制御部１１０Ｂは、一方の色のトナーが充填された現像装置を有する画像形成部が複数であると判別した場合（ステップＳ２３；Ｙｅｓ）、画像メモリ１６０から読み出した一方の色に対する画像データを各画像形成部の画像データとして予め設定された印刷単位に応じて順次切り替えて設定し、書込処理部１８０に入力させるよう制御する（ステップＳ２４）。
【００９８】
制御部１１０Ｂは、一方の色のトナーが充填された現像装置を有する画像形成部が複数でないと判別した場合（ステップＳ２３；Ｎｏ）、画像メモリ１６０から読み出した一方の色に対する画像データを当該色のトナーが充填された現像装置を有する画像形成部の画像データとして設定し、書込処理部１８０に入力させるよう制御する（ステップＳ２５）。
【００９９】
また、制御部１１０Ｂは、他方の色のトナーが充填された現像装置を有する画像形成部が複数か否かを判別する（ステップＳ２６）。他方の色のトナーが充填された現像装置を有する画像形成部が複数か否かの判別の例は、ステップＳ２３と同様であるため、説明は省略する。
【０１００】
制御部１１０Ｂは、他方の色のトナーが充填された現像装置を有する画像形成部が複数であると判別した場合（ステップＳ２６；Ｙｅｓ）、画像メモリ１６０から読み出した他方の色に対する画像データを各画像形成部の画像データとして予め設定された印刷単位に応じて順次切り替えて設定し、書込処理部１８０に入力させるよう制御する（ステップＳ２７）。
【０１０１】
制御部１１０Ｂは、他方の色のトナーが充填された現像装置を有する画像形成部が複数でないと判別した場合（ステップＳ２６；Ｎｏ）、画像メモリ１６０から読み出した他方の色に対する画像データを当該色のトナーが充填された現像装置を有する画像形成部の画像データとして設定し、書込処理部１８０に入力させるよう制御する（ステップＳ２８）。
【０１０２】
次に、ステップＳ２４又はステップＳ２７において実行される画像データの切替処理のフローチャートについて説明する。
【０１０３】
制御部１１０Ｂは、ある色（例えば、マゼンダ（Ｍ））のトナーが充填された現像装置を有する画像形成部が複数であると判別した場合（ステップＳ２３；Ｙｅｓ、又は、ステップＳ２６；Ｙｅｓ）、選択番号ｎを１に設定する（ステップＳ３１）。選択番号及び画像形成部識別番号における説明は、実施の形態１と同様であり、例も同様とするため、説明は省略する。
【０１０４】
選択番号ｎが１に設定された後（ステップＳ３１後）、制御部１１０Ｂは、１ページ分の画像を形成させるための画像データを選択する（ステップＳ３２）。
【０１０５】
制御部１１０Ｂは、選択番号ｎが１であるか否かを判別し（ステップＳ３３）、選択番号ｎが１であると判別した場合（ステップＳ３３；Ｙｅｓ）、選択した画像データを第１画像形成部の画像データとして設定し、設定された画像データに基づいて書込処理部１８０においてプリントデータが生成され、生成されたプリントデータをプリント部３０に出力させて画像を形成させる（ステップＳ３４）。プリント部３０では、入力されたプリントデータに対応する第１画像形成部（例えば、画像形成部４０Ｙ）が駆動されて記録媒体Ｐ上に画像が形成される。
【０１０６】
制御部１１０Ｂは、選択番号ｎが１ではないと判別した場合（ステップＳ３３；Ｎｏ）、選択番号ｎが２であるか否かを判別し（ステップＳ３５）、選択番号ｎが２であると判別した場合（ステップＳ３５；Ｙｅｓ）、選択した画像データを第２画像形成部の画像データとして設定し、設定された画像データに基づいて書込処理部１８０においてプリントデータが生成され、生成されたプリントデータをプリント部３０に出力させて画像を形成させる（ステップＳ３６）。プリント部３０では、入力されたプリントデータに対応する第２画像形成部（例えば、画像形成部４０Ｍ）が駆動されて記録媒体Ｐ上に画像が形成される。
【０１０７】
制御部１１０Ｂは、選択番号ｎが２ではないと判別した場合（ステップＳ３５；Ｎｏ）、選択した画像データを第３画像形成部の画像データとして設定し、設定された画像データに基づいて書込処理部１８０においてプリントデータが生成され、生成されたプリントデータをプリント部３０に出力させて画像を形成させる（ステップＳ３７）。プリント部３０では、入力されたプリントデータに対応する第３画像形成部（例えば、画像形成部４０Ｃ）が駆動されて記録媒体Ｐ上に画像が形成される。
【０１０８】
制御部１１０Ｂは、選択した画像データを設定した後（ステップＳ３４、Ｓ３６、又はＳ３７後）、選択番号ｎは３であるか否かを判別し（ステップＳ３８）、選択番号ｎが３であると判別した場合（ステップＳ３８；Ｙｅｓ）、ステップＳ３１に戻る。
【０１０９】
なお、本実施の形態２では、３つの画像形成部４１Ｙ、４１Ｍ、４１Ｃがマゼンダ（Ｍ）のトナーが充填された現像装置を有する画像形成部として分別されているため、ステップＳ３８において、選択番号ｎはマゼンダ（Ｍ）のトナーが充填された現像装置を有する画像形成部の総数（３）と等しいか否かが判別されている。即ち、ステップＳ１８における選択番号ｎを比較する数は、同一色のトナーが充填された現像装置を有する画像形成部の総数を用いるものである。
【０１１０】
制御部１１０Ｂは、選択番号ｎが３ではないと判別した場合（ステップＳ３８；Ｎｏ）、選択番号ｎに１を加算し新たな選択番号ｎを設定し（ステップＳ３９）、書込処理部１８０からプリント部３０に出力されたプリントデータに基づいた全てのページのプリント処理が終了されたか否かを判別する（ステップＳ４０）。
【０１１１】
制御部１１０Ｂは、プリント処理が終了されていないと判別した場合（ステップＳ４０；Ｎｏ）、ステップＳ３２に戻り、プリント処理が終了されたと判別した場合（ステップＳ４０；Ｙｅｓ）、本処理は終了される。
【０１１２】
即ち、本実施の形態２によれば、フルカラーモードである場合には、マゼンダ（Ｍ）の画像データに基づいて記録媒体Ｐ上に形成される画像は、画像形成部４０Ｍによってのみ形成されるが、２色モードである場合には、マゼンダ（Ｍ）の画像形成部４０Ｍによって形成される場合に加え、マゼンダ（Ｍ）の画像データがイエロー（Ｙ）の画像データとして設定されて画像形成部４０Ｙによって形成されたり、シアン（Ｃ）の画像データとして設定されて画像形成部４０Ｃによって順次切り替えられて形成されることとなる。
【０１１３】
このように、本実施の形態１及び２によれば、２色の画像を記録媒体上に形成させる場合、トナー無しの現像装置を有する画像形成部が存在しないため、トナー無しや画像形成部の取り付け異常等の異常が発生せず、異常検知制御の変更が不要となる。また、いずれの画像形成部も２色の画像を形成させる際に使用されるため、長期間使用されないトナーが発生せず、トナー劣化による機内飛散等の問題を防ぐことができると共に、トナーの無駄を省くことができる。
【０１１４】
更に、複数の画像形成部を予め設定された印刷単位に応じて順次切り替えることができ、各画像形成部の使用頻度を均一化することができる。従って、総コストの低下が図られた２色の画像を形成させる画像形成装置を実現することができる。
【０１１５】
なお、本実施の形態１及び２では、２色モードである場合において、画像形成部４０Ｙ、４０Ｍ、４０Ｃをマゼンダ（Ｍ）の色のトナーが充填された現像装置を有し、マゼンダ（Ｍ）の画像を形成する第１類の画像形成部、画像形成部４０Ｋをブラック（Ｋ）の色のトナーが充填された現像装置を有しブラック（Ｋ）の画像を形成させる第２類の画像形成部として分別された場合を例として挙げて説明したが、２つの画像形成部（例えば、４０Ｙ、４０Ｍ）をマゼンダ（Ｍ）の色のトナーが充填された現像装置を有しマゼンダ（Ｍ）の画像を形成する第１類の画像形成部、他の２つの画像形成部（例えば、画像形成部４０Ｃ、４０Ｋ）をブラック（Ｋ）の色のトナーが充填された現像装置を有しブラック（Ｋ）の画像を形成する第２類の画像形成部として分別された場合にも、同様の効果を得られることは勿論のこと、その他の例として、画像が形成される頻度に応じて２色のうちいずれか一方の色のトナーが充填された現像装置を有する第１類の画像形成部と他方の色のトナーが充填された現像装置を有する第２類の画像形成部とに分別された場合においても同様の効果を得られるものである。
【０１１６】
また、本発明は、上記実施の形態の内容に限定されるものではなく、本発明の主旨を逸脱しない範囲で適宜変更可能である。
【図面の簡単な説明】
【０１１７】
【図１】実施の形態１における画像形成装置Ａの概略断面構成図である。
【図２】実施の形態１における画像形成装置Ａの制御ブロック図である。
【図３】実施の形態１におけるプリント処理のメインフローチャートである。
【図４】実施の形態１における２色モードの場合における画像形成部の切替処理のフローチャートである。
【図５】実施の形態２における画像形成装置Ｂの制御ブロック図である。
【図６】実施の形態２におけるプリント処理のメインフローチャートである。
【図７】実施の形態２における２色モードの場合における画像形成部の切替処理のフローチャートである。
【符号の説明】
【０１１８】
１ａ  本体部
１ｂ  プリンタコントローラ
１１ｂ  コントローラ制御部
１２ｂ  ＤＲＡＭ制御ＩＣ
１３ｂ  画像メモリ
１４ｂ  ＬＡＮＩＦ
２０  画像読取部
２１  自動原稿送り部
２１ａ  給紙ローラ
２１ｂ  密着ローラ
２１ｃ  案内ローラ
２１ｄ  切替爪
２１ｅ  反転ローラ
２１ｆ  排紙トレイ
２２  読取部
２２ａ  イメージセンサ
３０  プリント部
４０（４０Ｙ、４０Ｍ、４０Ｃ、４０Ｋ）  画像形成部
４１Ｙ、４１Ｍ、４１Ｃ、４１Ｋ  感光体ドラム
４２Ｙ、４２Ｍ、４２Ｃ、４２Ｋ  帯電体装置
４３Ｙ、４３Ｍ、４３Ｃ、４３Ｋ  露光装置
４４Ｙ、４４Ｍ、４４Ｃ、４４Ｋ  現像装置
４５Ｙ、４５Ｍ、４５Ｃ、４５Ｋ  一時転写ローラ
４６Ｙ、４６Ｍ、４６Ｃ、４６Ｋ  クリーニング装置
５０  クリーニング部
６０  中間転写ベルト
７０  給紙部
７１、７２、７３  給紙カセット
７４、７５、７６、７７  給紙ローラ
８０  搬送部
８１ａ、８１ｂ、８１ｃ、８１ｄ  中間ローラ
８２  レジストローラ
８３  二次転写ローラ
８４  排紙ローラ
８５  排紙トレイ
９０  定着装置
９１  操作表示部
９１ａ  ＬＣＤ
１００  本体制御部
１１０Ａ、１１０Ｂ  制御部
１２１Ａ、１２１Ｂ  不揮発メモリ
１２２Ａ、１２２Ｂ  プログラムメモリ
１２３Ａ、１２３Ｂ  ＲＡＭ
１３０  読取処理部
１４０  圧縮ＩＣ
１５０  ＤＲＡＭ制御ＩＣ
１６０  画像メモリ
１６１  圧縮メモリ
１６２  ページメモリ
１７０  伸張ＩＣ
１８０  書込処理部
２００  画像読取制御部
３００Ａ、３００Ｂ  プリント制御部
９００  操作表示制御部
Ａ、Ｂ  画像形成装置
Ｎ  ネットワーク
Ｐ  記録媒体
ＰＣ  外部機器
Ｔ１  原稿トレイ
ＷＰ  原稿
【図１】
2007156141.tif 000003
【図２】
2007156141.tif 000004
【図３】
2007156141.tif 000005
【図４】
2007156141.tif 000006
【図５】
2007156141.tif 000007
【図６】
2007156141.tif 000008
【図７】
2007156141.tif 000009